(57)【要約】【解決手段】底部１の一方の相対する辺部に形成された土手部１ａに、一方の相対する側壁２がヒンジ連結されているとともに、底部のもう一方の相対する辺部に形成された土手部１ｂに、もう一方の相対する側壁３がヒンジ連結されて構成された折り畳みコンテナーにおいて、底板１ｃの下面１ｃ２と底板に形成された嵌合部１ｄを構成する嵌合周壁１ｄ１の外面１ｄ１’とにより形成された隅部Ｎ１に、土手部補強部材Ｂ１としての隅リブｂ１を配設したものである。【効果】底部に形成されている土手部の剛性や強度を高めることができ、ひいては、折り畳みコンテナーの剛性や強度を高めることができる。【選択図】図９
2005271967.tif 000002
【特許請求の範囲】
【請求項１】
底部の一方の相対する辺部に形成された土手部に、一方の相対する側壁がヒンジ連結されているとともに、底部のもう一方の相対する辺部に形成された土手部に、もう一方の相対する側壁がヒンジ連結されて構成された折り畳みコンテナーにおいて、前記底部を構成する底板の下面と該底板に形成された嵌合部を構成する嵌合周壁の外面とにより形成された隅部に、土手部補強部材としての隅リブを配設したことを特徴とする折り畳みコンテナー。
【請求項２】
底部の一方の相対する辺部に形成された土手部に、一方の相対する側壁がヒンジ連結されているとともに、底部のもう一方の相対する辺部に形成された土手部に、もう一方の相対する側壁がヒンジ連結されて構成された折り畳みコンテナーにおいて、前記土手部を構成する内側垂直部の内面と水平部の下面とにより形成される隅部に、土手部補強部材としての板状体を配設するとともに、該板状体の下端部が、前記底部を構成する底板の下面と該底板に形成された嵌合部を構成する嵌合周壁の外面とにより形成された隅部に延在するようにしたことを特徴とする折り畳みコンテナー。
【請求項３】
上記土手部を構成する外側垂直部の内面と土手部補強部材としての板状体の前記外側垂直部側の垂直端とを、板状体の厚さより薄い架橋壁により連結したことを特徴とする請求項２に記載の折り畳みコンテナー。
【請求項４】
上記土手部補強部材の下端が、上記土手部を構成する外側垂直部の下端を越えて、下方に延在しないように構成したことを特徴とする請求項１〜請求項３のいずれか１項に記載の折り畳みコンテナー。
【発明の詳細な説明】
【技術分野】
【０００１】
本発明は、底部と、底部にヒンジ連結された側壁とから構成された折り畳み可能な折り畳みコンテナーに関するものである。
【背景技術】
【０００２】
従来、底部の一方の相対する辺部に形成された土手部に、適当なヒンジ部材を介して、一方の相対する側壁をヒンジ連結するとともに、底部のもう一方の相対する辺部に形成された土手部に、同じく、適当なヒンジ部材を介して、もう一方の相対する側壁をヒンジ連結して構成された折り畳みコンテナーが、一例として、特許文献１に開示されている。
【特許文献１】特開２００２−１２０８３２号公報
【０００３】
図１５に示されているように、上述した折り畳みコンテナーの底部１０の辺部に形成されている土手部１０ａは、底板１０ｂに対して略垂直な内側垂直部１０ａ１と、内側垂直部１０ａ１の上端から外側に略水平方向に延在する水平部１０ａ２と、水平部１０ａ２の先端から内側垂直部１０ａ１に略平行に下方に延在する外側垂直部１０ａ３とから構成されている。
【発明の開示】
【発明が解決しようとする課題】
【０００４】
上述した従来の折り畳みコンテナーの土手部１０ａの水平部１０ａ２に、上方から負荷が加わった場合や、土手部１０ａの内側垂直部１０ａ１や外側垂直部１０ａ３に側方から負荷が加わった場合に、土手部１０ａが、底板１０ｂと内側垂直部１０ａ１とにより形成される角部Ｃを、中心に、内側或いは外側に変形し、底部１０が損傷するという問題があった。
【０００５】
本発明の目的は、上述した従来の折り畳みコンテナーが有する課題を解決することにある。
【課題を解決するための手段】
【０００６】
本発明は、上述した目的を達成するために、底部の一方の相対する辺部に形成された土手部に、一方の相対する側壁がヒンジ連結されているとともに、底部のもう一方の相対する辺部に形成された土手部に、もう一方の相対する側壁がヒンジ連結されて構成された折り畳みコンテナーにおいて、第１には、底板の下面と底板に形成された嵌合部を構成する嵌合周壁の外面とにより形成された隅部に、土手部補強部材としての隅リブを配設したものであり、第２には、土手部を構成する内側垂直部の内面と水平部の下面とにより形成される隅部に、土手部補強部材としての板状体を配設するとともに、該板状体の下端部が、底板の下面と底板に形成された嵌合部を構成する嵌合周壁の外面とにより形成された隅部に延在するようにしたものであり、第３には、土手部を構成する外側垂直部の内面と土手部補強部材としての板状体の前記外側垂直部側の垂直端とを、板状体の厚さより薄い架橋壁により連結したものであり、第４には、土手部補強部材の下端が、土手部を構成する外側垂直部の下端を越えて、下方に延在しないようにしたものである。
【発明の効果】
【０００７】
本発明は、上述した構成を有するので、以下に記載する効果を奏することができるものである。
【０００８】
底板の下面と底板に形成された嵌合部を構成する嵌合周壁の外面とにより形成された隅部に、土手部補強部材としての隅リブを配設したので、底部に形成されている土手部の剛性や強度を高めることができ、ひいては、折り畳みコンテナーの剛性や強度を高めることができる。
【０００９】
土手部を構成する内側垂直部の内面と水平部の下面とにより形成される隅部に、土手部補強部材としての板状体を配設するとともに、該板状体の下端部が、底板の下面と底板に形成された嵌合部を構成する嵌合周壁の外面とにより形成された隅部に延在するように構成したので、底部に形成されている土手部の剛性や強度を更に高めることができ、ひいては、折り畳みコンテナーの剛性や強度を更に高めることができる。
【００１０】
土手部を構成する外側垂直部の内面と土手部補強部材としての板状体の前記外側垂直部側の垂直端とを、板状体の厚さより薄い架橋壁により連結したので、底部に形成されている土手部の剛性や強度を更にまた高めることができ、ひいては、折り畳みコンテナーの剛性や強度を更にまた高めることができる。
【００１１】
土手部補強部材の下端が、土手部を構成する外側垂直部の下端を越えて、下方に延在しないように構成したので、箱型に組み立てられた折り畳みコンテナーを段積みした際に、上に位置する折り畳みコンテナーの底部に形成された土手部補強部材が、下に位置する折り畳みコンテナーの側壁の上部フランジに当接し、上に位置する折り畳みコンテナーが、下に位置する折り畳みコンテナーの側壁の上部フランジから浮き上がり、安定した段積みができなくなるというような問題を解決することができるとともに、土手部補強部材や側壁の上部フランジの損傷を防止することができる。
【実施例】
【００１２】
以下に、本発明の実施例について説明するが、本発明の趣旨を越えない限り、何ら、本実施例に限定されるものではない。
【００１３】
先ず最初に、図１〜図３を用いて、本発明の折り畳みコンテナーの全体構成について説明する。
【００１４】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、本実施例においては、長辺側土手部１ａの高さは、短辺側土手部１ｂの高さより、高く形成されている。また、長辺側土手部１ａ及び短辺側土手部１ｂには、後述する雌ヒンジ部材Ｈ１が、所定の間隔で適当数、配設されている。
【００１５】
２は、長側壁であり、長側壁２の下部フランジ２ａの裏面には、底部１の長辺側土手部１ａに配設された雌ヒンジ部材Ｈ１に対応して、後述する雄ヒンジ部材Ｈ２が配設されている。３は、短側壁であり、短側壁３の下部フランジ３ａの裏面にも、底部１の短側壁土手部１ｂに配設された雌ヒンジ部材Ｈ１に対応して、後述する雄ヒンジ部材Ｈ２が配設されている。
【００１６】
長側壁２の下部フランジ２ａに配設された雄ヒンジ部材Ｈ２と底部１の長辺側土手部１ａに配設された雌ヒンジ部材Ｈ１とを連結することにより、長側壁２が、底部１にヒンジ連結され、また、短側壁３の下部フランジ３ａに配設された雄ヒンジ部材Ｈ２と底部１の短辺側土手部１ｂに配設された雌ヒンジ部材Ｈ１とを連結することにより、短側壁３が、底部１にヒンジ連結されて、折り畳みコンテナーが構成されることになる。
【００１７】
長側壁２の横長の略長方形状の板状部２ｂの両端部には、板状部２ｂに対して略直角方向に延在する縦長の係合枠４が形成されており、係合枠４には、適当数の透孔４ａが穿設されている。また、係合枠４付近に位置する板状部２ｂに、コの字状のスリット５を形成することにより、係合枠４側が自由端に形成された弾性舌片６が形成されている。弾性舌片６の先端部には、係合枠４と対向するように、係止凸部６ａが形成されている。
【００１８】
短側壁３の横長の略長方形状の板状部３ｂの両端部には、板状部３ｂを延長することにより、縦長の係合枠７が形成されており、係合枠７には、長側壁２の係合枠４に穿設されている透孔４ａに嵌合する嵌合突起７ａが形成されている。
【００１９】
図３に示されているように、折り畳まれた状態から、図１に示されているように、箱型に組み立てるには、先ず最初に、略水平状態の長側壁２を、略垂直に立て、次いで、短側壁３を、略垂直に立てられた長側壁２方向に回動させると、短側壁３の係合枠７に形成された嵌合突起７ａの長側壁２の係合枠４に穿設された透孔４ａへの嵌合に前後して、短側壁３の係合枠７が、長側壁２に形成された弾性舌片６の係止凸部６ａに当接し、弾性舌片６を外側に変形させる。そして、短側壁３の係合枠７が、長側壁２に形成された弾性舌片６の係止凸部６ａを通過した時点で、短側壁３の係合枠７により外側に押された弾性舌片６が、その復元力により戻り、弾性舌片６の係止凸部６ａが、略垂直に立てられた短側壁３の係合枠７に当接して、短側壁３の底部１方向への回動を阻止するように構成されている。
【００２０】
また、箱型に組み立てられた折り畳みコンテナーを、折り畳むには、先ず最初に、長側壁２の弾性舌片６を、その係止凸部６ａが、短側壁３の係合枠７から外れるように、外側に押し、その後、短側壁３を底部１方向に回動させることにより、短側壁３の係合枠７に形成された嵌合突起７ａを、長側壁２の係合枠４に穿設された透孔４ａから排出させて、短側壁３を底部１の上に倒す。その後、略垂直な長側壁２を、底部１方向に倒すことにより、箱型に組み立てられた折り畳みコンテナーを折り畳むように構成されている。
【００２１】
次に、図４〜図７を用いて、底部１の長辺側土手部１ａに配設されている雌ヒンジ部材Ｈ１を例に、雌ヒンジ部材Ｈ１について説明するとともに、長側壁２の下部フランジ２ａに配設されている雄ヒンジ部材Ｈ２を例に、雄ヒンジ部材Ｈ２について説明する。
【００２２】
底部１の長辺側土手部１ａは、底部１の底板１ｃの縁部１ｃ１から上方に略垂直に延在する内側垂直部１ａ１と、内側垂直部１ａ１の上端から外側に略水平に延在する水平部１ａ２と、水平部１ａ２の縁部から内側垂直部１ａ１と略平行に下方に延在する外側垂直部１ａ３とから構成されており、長手方向に対して垂直な断面形状が、略逆Ｕ字状に形成されている。
【００２３】
長辺側土手部１ａには、平面形状が長方形の縦孔ｈ１が形成されており、また、長辺側土手部１ａの内側垂直部１ａ１には、上方が開放されているとともに、底板１ｃ方向に延在する方形状の切欠き凹部ｈ２が形成されている。切欠き凹部ｈ２の横幅（長辺側土手部１ａの長手方向に沿った長さ）Ｗ１は、縦孔ｈ１の長辺長さ（長辺側土手部１ａの長手方向に沿った長さ）Ｗ２より短く、且つ、切欠き凹部ｈ２は、縦孔ｈ１の長辺の略中央部に位置している。また、切欠き凹部ｈ２の両側に位置する内側垂直部１ａ１の内面（外側垂直部１ａ３側に位置する面）の上端部には、フックｈ３が突設されている。上記の長辺側土手部１ａに形成された縦孔ｈ１、切欠き凹部ｈ２及びフックｈ３とにより、雌ヒンジ部材Ｈ１が構成されている。
【００２４】
一方、長側壁２の板状部２ｂに垂直な下部フランジ２ａの裏面には、所定の間隔をおいて、且つ、下部フランジ２ａの長手方向に対して垂直に、一対の板状の支持片ｈ１０が垂設されており、また、一対の支持片ｈ１０は、連結片ｈ１１により連結されている。一対の支持片ｈ１０の外側面（一対の支持片ｈ１０の相対する面とは反対側の面）間の幅Ｗ３は、切欠き凹部ｈ２の横幅Ｗ１より、若干、狭く形成されており、一対の支持片ｈ１０が、切欠き凹部ｈ２に挿入可能なように構成されている。また、一対の支持片ｈ１０の外側面の下端部には、ヒンジブロック１２が取着されている。そして、ヒンジブロックｈ１２の下部フランジ２ａとの対向面（以下、上面という。）ｈ１２ａは、下部フランジ２ａと略平行な平坦面として形成されており、また、上記の上面ｈ１２ａの板状部２ｂ側に位置する端部には、略直方体状の当接ブロック部ｈ１２ｂが突設されている。
【００２５】
ヒンジブロックｈ１２の下部フランジ２ａに対して垂直方向の幅（ヒンジブロックｈ１２の底面ｈ１２ｃから当接ブロック部ｈ１２ｂの上面までの高さ）Ｗ４は、底部１の長辺側土手部１ａの外側垂直部１ａ３と内側垂直部１ａ１の内面に突設されたフックｈ３の先端との間の間隙Ｗ５より、若干、広く形成されている。上記の一対の支持片ｈ１０、連結片ｈ１１及び当接ブロック部ｈ１２ｂを有するヒンジブロックｈ１２とにより、雄ヒンジ部材Ｈ２が構成されている。
【００２６】
底部１と長側壁２とをヒンジ連結するには、図５に示されているように、長側壁２を、底部１と略平行になるように、略水平状態に配置し、その後、その状態を維持したまま、長側壁２を、底部１に向かって下降させ、長側壁２に形成されたヒンジブロックｈ１２が突設されている支持片ｈ１０を、長辺側土手部１ａに形成された切欠き凹部ｈ２に挿入するとともに、ヒンジブロックｈ１２を、長辺側土手部１ａに形成された縦孔ｈ１に挿入すると、ヒンジブロックｈ１２の下部フランジ２ａに対して垂直方向の幅Ｗ４は、底部１の長辺側土手部１ａの外側垂直部１ａ３と内側垂直部１ａ１の内面に突設されたフックｈ３の先端との間の間隙Ｗ５より、若干、広く形成されているので、ヒンジブロックｈ１２は、図５に示されているように、底部１の長辺側土手部１ａの内側垂直部１ａ１に形成された切欠き凹部ｈ２の両側に位置する内側垂直部１ａ１の内面に突設されたフックｈ３の上部傾斜面ｈ３ａに載置されることになる。その後、長側壁２と底部１とが略水平状態を維持したまま、長側壁２を、更に、底部１に向かって、強制的に下降させると、ヒンジブロックｈ１２は、長辺側土手部１ａの内側垂直部１ａ１或いは／及び外側垂直部１ａ３を湾曲変形させて、底部１に形成された長辺側土手部１ａの外側垂直部１ａ３と内側垂直部１ａ１の内面に突設されたフックｈ３との間の間隙Ｗ５を拡げることにより、長辺側土手部１ａの外側垂直部１ａ３と内側垂直部１ａ１の内面に突設されたフックｈ３との間を通過し、図６に示されているように、底部１に形成された長辺側土手部１ａの外側垂直部１ａ３と内側垂直部１ａ１との間に配置されることになる。このようにして、底部１の長辺側土手部１ａに配設された雌ヒンジ部材Ｈ１と長側壁２に配設された雄ヒンジ部材Ｈ２とがヒンジ連結されることになる。
【００２７】
折り畳みコンテナーが折り畳まれた状態から、略水平状態の長側壁２を、略垂直に立てると、図７に示されているように、ヒンジブロックｈ１２の当接ブロック部ｈ１２ｂが、底部１に形成された長辺側土手部１ａの内側垂直部１ａ１に突設されたフックｈ３の庇部ｈ３ｂの下に入り込むとともに、長側壁２の下部フランジ２ａが、底部１の長辺側土手部１ａの水平部１ａ２に載置されることになる。そして、フックｈ３の庇部ｈ３ｂの下に入り込んだヒンジブロックｈ１２の当接ブロック部ｈ１２ｂは、フックｈ３の庇部ｈ３ｂと当接するように、或いは、庇部ｈ３ｂに接近した位置をとるように構成されており、従って、折り畳みコンテナーが、箱型に組み立てられた状態においては、長側壁２が、上下方向にがたつくようなことがない。
【００２８】
底部１の短辺側土手部１ｂは、長辺側土手部１ａに比べて、高さが低いだけで、その構成は同じであり、底部１の底板１ｃの縁部から上方に略垂直に延在する内側垂直部と、内側垂直部の上端から外側に略水平に延在する水平部と、水平部の縁部から内側垂直部と略平行に下方に延在する外側垂直部とから構成されており、短辺側土手部１ｂにも、上述した雌ヒンジ部材Ｈ１が形成されており、また、短側壁３の下部フランジ短側壁３の下部フランジ３ａの裏面にも、底部１の短側壁土手部１ｂに配設された雌ヒンジ部材Ｈ１に対応して、上述した雄ヒンジ部材Ｈ２が形成されている。そして、底部１の短辺側土手部１ｂに配設された雌ヒンジ部材Ｈ１と短側壁３に配設された雄ヒンジ部材Ｈ２とがヒンジ連結されることになる。
【００２９】
底部１の底板１ｃの下面１ｃ２には、底板１ｃの縁部１ｃ１に沿って、縁部１ｃ１より所定の幅Ｗ６だけ内側に引っ込んだ、略角筒状の嵌合周壁１ｄ１が形成されており、嵌合周壁１ｄ１内には、多数の交差リブ１ｄ２が形成されている。そして、嵌合周壁１ｄ１と多数の交差リブ１ｄ２により、底板１ｃの下面１ｃ２には、嵌合部１ｄが形成されている。箱型に組み立てられた折り畳みコンテナーを、上下方向に積み重ねた際には、換言すれば、箱型に組み立てられた折り畳みコンテナーを、段積みした際には、上に位置する折り畳みコンテナーの底部１の底板１ｃに形成された嵌合部１ｄが、下に位置する折り畳みコンテナーの開口部に嵌合されるように構成されており、上に位置する折り畳みコンテナーの底部１の底板１ｃに形成された嵌合部１ｄが、下に位置する折り畳みコンテナーの開口部に嵌合しているので、下に位置する折り畳みコンテナーに対して、上に位置する折り畳みコンテナーが水平方向に大きく移動するようなことがなく、従って、安定した状態で、箱型に組み立てられた折り畳みコンテナーを段積みすることができるように構成されている。
【００３０】
また、上述したように、箱型に組み立てられた折り畳みコンテナーを、段積みした際には、上に位置する折り畳みコンテナーの底部１の嵌合部１ｄが、下に位置する折り畳みコンテナーの開口部に嵌合されるとともに、下に位置する折り畳みコンテナーの長側壁２の上部フランジ２ｃ及び短側壁３の上部フランジ３ｃに、上に位置する折り畳みコンテナーの底部１を構成する長辺側土手部１ａの外側垂直部１ａ３の下端１ａ３’及び短辺側土手部１ｂの外側垂直部の下端が載置されるように構成されている。
【００３１】
上述したように、底部１に形成された長辺側土手部１ａは、内側垂直部１ａ１と水平部１ａ２と外側垂直部１ａ３とから構成されており、短辺側土手部１ｂも、同様に、内側垂直部と水平部と外側垂直部とから構成されている。そして、長辺側土手部１ａの外側垂直部１ａ３の下端１ａ３’と短辺側土手部１ｂの外側垂直部１ｂ３の下端１ｂ３’とは、互いに面一に形成されている。
【００３２】
次に、底部１に形成された長辺側土手部１ａや短辺側土手部１ｂの剛性や強度を高めるための土手部補強部材について説明するが、短辺側土手部１ｂに比べて高さが高く、より補強の必要度の高い長辺側土手部１ａに配設された土手部補強部材を用いて、土手部補強部材の実施例を説明する。
【００３３】
先ず最初に、主として、図８及び図９を用いて、土手部補強部材Ｂ１について説明する。
【００３４】
本発明においては、長辺側土手部１ａの外側垂直部１ａ３の下端１ａ３’は、底部１を構成する底板１ｃの下面１ｃ２より、所定の高さＴ１だけ、下方に位置している。そして、底部１を構成する底板１ｃの下面１ｃ２と底部１の底板１ｃに形成された嵌合部１ｄを構成する嵌合周壁１ｄ１の外面１ｄ１’とにより、隅部Ｎ１が形成されている。なお、嵌合部１ｄを構成する、互いに交差する交差リブ１ｄ２の一方は、嵌合周壁１ｄ１に対して垂直となるように形成されており、また、交差リブ１ｄ２のもう一方は、一方の交差リブ１ｄ２と直交するように形成されている。
【００３５】
上述したように、底部１を構成する底板１ｃの下面１ｃ２と、底部１の底板１ｃに形成された嵌合部１ｄを構成する嵌合周壁１ｄ１の外面１ｄ１’とにより、隅部Ｎ１が形成されており、この隅部Ｎ１に、土手部補強部材Ｂ１としての隅リブｂ１が、所定の間隔で形成されている。
【００３６】
上述したように、箱型に組み立てられた折り畳みコンテナーを、段積みした際には、上に位置する折り畳みコンテナーの底部１の嵌合部１ｄが、下に位置する折り畳みコンテナーの開口部に嵌合されるとともに、下に位置する折り畳みコンテナーの長側壁２の上部フランジ２ｃ及び短側壁３の上部フランジ３ｃに、上に位置する折り畳みコンテナーの底部１を構成する長辺側土手部１ａの外側垂直部１ａ３の下端１ａ３’及び短辺側土手部１ｂの外側垂直部の下端が載置されるように構成されているので、上述した隅リブｂ１は、このような箱型に組み立てられた折り畳みコンテナーの段積み作業の邪魔にならないような大きさに形成されている。例えば、隅リブｂ１が、長辺側土手部１ａの外側垂直部１ａ３の下端１ａ３’を越えて、下方に延在していると、箱型に組み立てられた折り畳みコンテナーを段積みした際に、上に位置する折り畳みコンテナーの底部１に形成された隅リブｂ１が、下に位置する折り畳みコンテナーの長側壁２の上部フランジ２ｃに当接し、上に位置する折り畳みコンテナーが、下に位置する折り畳みコンテナーの長側壁２の上部フランジ２ｃから浮き上がり、安定した段積みができなくなるとともに、隅リブｂ１や長側壁２の上部フランジ２ｃが損傷するというような問題が発生することになる。
【００３７】
底部１に形成されている長辺側土手部１ａの剛性や強度を高めるために、底部１を構成する底板１ｃの下面１ｃ２と、底部１の底板１ｃに形成された嵌合部１ｄを構成する嵌合周壁１ｄ１の外面１ｄ１’とにより形成される隅部Ｎ１に配設される土手部補強部材Ｂ１としての隅リブｂ１の下端ｂ１ａは、長辺側土手部１ａの外側垂直部１ａ３の下端１ａ３’と、実質的に、面一に形成されている。
【００３８】
上述したように、底部１を構成する底板１ｃの下面１ｃ２と、底部１の底板１ｃに形成された嵌合部１ｄを構成する嵌合周壁１ｄ１の外面１ｄ１’とにより形成される隅部Ｎ１に、所定の間隔を置いて、土手部補強部材Ｂ１としての隅リブｂ１を形成したことにより、底部１に形成されている長辺側土手部１ａの剛性や強度を高めることができ、ひいては、折り畳みコンテナーの剛性や強度を高めることができる。
【００３９】
また、上述したように、土手部補強部材Ｂ１としての隅リブｂ１の下端ｂ１ａが、長辺側土手部１ａの外側垂直部１ａ３の下端１ａ３’と、実質的に、面一に形成されているので、箱型に組み立てられた折り畳みコンテナーを段積みした際に、上に位置する折り畳みコンテナーの底部１に形成された隅リブｂ１が、下に位置する折り畳みコンテナーの長側壁２の上部フランジ２ｃに当接し、上に位置する折り畳みコンテナーが、下に位置する折り畳みコンテナーの長側壁２の上部フランジ２ｃから浮き上がり、安定した段積みかできなくなったり、板状体ｂ２や長側壁２の上部フランジ２ｃが損傷するというような問題の発生を防止することができる。
【００４０】
また、上述した土手部補強部材Ｂ１としての隅リブｂ１は、隅リブｂ１が形成されている隅部Ｎ１を構成する嵌合周壁１ｄ１に対して、略垂直に連結されている所定の交差リブ１ｄ２の延長線上に、換言すれば、底部１を裏面から見た場合に、隅リブｂ１と所定の交差リブ１ｄ２とが、一直線状に配置されるように形成されることが好ましい。長辺側土手部１ａに、長辺側土手部１ａが外側に変形するような負荷が加わった場合に、隅リブｂ１に負荷が伝達され、この負荷が更に、嵌合周壁１ｄ１に加わることになり、嵌合周壁１ｄ１が変形しようとするが、上記のように、隅リブｂ１と所定の交差リブ１ｄ２とが、一直線状に配置されているので、交差リブ１ｄ２が一種の突っ張り部材として機能し、嵌合周壁１ｄ１の変形を防止することができる。
【００４１】
図１０及び図１１に示されている実施例は、長辺側土手部１ａを構成する内側垂直部１ａ１の内面と水平部１ａ２の下面とにより形成される隅部Ｎ２に、土手部補強部材Ｂ２を配設したものである。この土手部補強部材Ｂ２は、内側垂直部１ａ１に対して略垂直な縦長の板状体ｂ２として形成されており、板状体ｂ２の上端ｂ２ａは、水平部１ａ２の下面に連接されているとともに、板状体ｂ２の一方の垂直端ｂ２ｂは、内側垂直部１ａ１の内面に連接されている。また、板状体ｂ２の下端ｂ２ｃは、上述した隅リブｂ１と同様に、長辺側土手部１ａの外側垂直部１ａ３の下端１ａ３’を越えて下方に延在しないように、長辺側土手部１ａの外側垂直部１ａ３の下端１ａ３’と、実質的に、面一に形成されている。また、板状体ｂ２の下端角部ｂ２ｄは、上述した隅リブｂ１と同様に、底板１ｃの下面１ｃ２と底板１ｃに形成された嵌合部１ｄの嵌合周壁１ｄ１の外面１ｄ１’とにより形成される隅部Ｎ１にまで延在するように形成されている。
【００４２】
上述したように、長辺側土手部１ａを構成する内側垂直部１ａ１の内面と水平部１ａ２の下面とにより形成される隅部Ｎ２及び底板１ｃの下面１ｃ２と底板１ｃに形成された嵌合部１ｄの嵌合周壁１ｄ１の外面１ｄ１’とにより形成される隅部Ｎ１に、縦長の板状体ｂ２として形成される土手部補強部材Ｂ２を配設してので、底部１に形成されている長辺側土手部１ａの剛性や強度を高めることができ、ひいては、折り畳みコンテナーの剛性や強度を高めることができる。
【００４３】
土手部補強部材Ｂ２としての板状体ｂ２の下端ｂ２ｃは、長辺側土手部１ａの外側垂直部１ａ３の下端１ａ３’を越えて下方に延在しないように、長辺側土手部１ａの外側垂直部１ａ３の下端１ａ３’と、実質的に、面一に形成されているので、箱型に組み立てられた折り畳みコンテナーを段積みした際に、上に位置する折り畳みコンテナーの底部１に形成された板状体ｂ２の下端ｂ２ｃが、下に位置する折り畳みコンテナーの長側壁２の上部フランジ２ｃに当接し、上に位置する折り畳みコンテナーが、下に位置する折り畳みコンテナーの長側壁２の上部フランジ２ｃから浮き上がり、安定した段積みかできなくなったり、板状体ｂ２や長側壁２の上部フランジ２ｃが損傷するというような問題の発生を防止することができる。
【００４４】
また、土手部補強部材Ｂ２を構成する板状体ｂ２の内側垂直部１ａ１の内面に連接されていない、もう一方の垂直端、即ち、外側垂直部１ａ３側に位置する垂直端ｂ２ｅは、外側垂直部１ａ３の内面に連接されておらず、もう一方の垂直端ｂ２ｅと外側垂直部１ａ３の内面との間には、間隙Ｄ１が形成されている。板状体ｂ２が、外側垂直部１ａ３の内面に連接されていると、底部１を一体的に射出成形した際に、板状体ｂ２が連接している外側垂直部１ａ３部分の冷却が、板状体ｂ２が連接されていない外側垂直部１ａ３部分に比べて、射出成形後の冷却に時間がかかり、従って、板状体ｂ２が連接している外側垂直部１ａ３部分に、凹部、所謂、ひけにより疵ができ、折り畳みコンテナーとしての商品価値が落ちることになる。しかしながら、板状体ｂ２と外側垂直部１ａ３との間には、間隙Ｄ１が形成されおり、板状体ｂ２と外側垂直部１ａ３とは連接されていないので、底部１の射出成形後の冷却の際には、外側垂直部１ａ３全体が、略均一に冷却されるので、外側垂直部１ａ３に、ひけによる疵ができるようなことを防止することができる。
【００４５】
更に、上述した土手部補強部材Ｂ２としての板状体ｂ２は、嵌合周壁１ｄ１に対して、略垂直に連結されている所定の交差リブ１ｄ２の延長線上に、換言すれば、底部１を裏面から見た場合に、板状体ｂ２と所定の交差リブ１ｄ２とが、一直線状に配置されるように形成されることが好ましい。長辺側土手部１ａに、長辺側土手部１ａが外側に変形するような負荷が加わった場合に、底板１ｃの下面１ｃ２と嵌合部１ｄの嵌合周壁１ｄ１とにより形成される隅部Ｎ１に延在している板状体ｂ２の下端角部ｂ２ｄに負荷が伝達され、この負荷が更に、嵌合周壁１ｄ１に加わることになり、嵌合周壁１ｄ１が変形しようとするが、上記のように、板状体ｂ２と所定の交差リブ１ｄ２とが、一直線状に配置されているので、交差リブ１ｄ２が一種の突っ張り部材として機能し、嵌合周壁１ｄ１の変形を防止することができる。
【００４６】
図１２及び図１３に示されている実施例は、上述した図１０及び図１１に示されている実施例に、更に、板状体ｂ２の外側垂直部１ａ３側に位置する垂直端ｂ２ｅと外側垂直部１ａ３の内面と水平部１ａ２の下面とに、それぞれ連接されている架橋壁ｂ３を付加したものである。架橋壁ｂ３の下端ｂ３ａは、長辺側土手部１ａの外側垂直部１ａ３の下端１ａ３’を越えて、下方に延在しないように構成されている。
【００４７】
上述したように、板状体ｂ２の外側垂直部１ａ３側に位置する垂直端ｂ２ｅと外側垂直部１ａ３の内面と水平部１ａ２の下面とを、架橋壁ｂ３により架橋したことにより、底部１に形成されている長辺側土手部１ａの剛性や強度を更に高めることができ、ひいては、折り畳みコンテナーの剛性や強度を更に高めることができる。
【００４８】
上述した実施例における架橋壁ｂ３の厚さＫ１は、板状体ｂ２の厚さＫ２に比べて、薄く形成されている。架橋壁ｂ３の厚さＫ１を薄くすることにより、底部１の射出成形後の冷却の際に、架橋壁ｂ３の厚さＫ１が、板状体ｂ２の厚さＫ２と同じである場合に比べて、外側垂直部１ａ３全体が、略均一に冷却されるので、外側垂直部１ａ３に、ひけによる疵ができるようなことを防止することができる。
【００４９】
なお、図１４に示されているように、架橋壁ｂ３の下端ｂ３ａを、板状体ｂ２の下端ｂ２ｃと略面一にすることもできる。このように構成することにより、底部１に形成されている長辺側土手部１ａの剛性や強度を更にまた高めることができ、ひいては、折り畳みコンテナーの剛性や強度を更にまた高めることができる。この場合にも、上述した実施例と同様に、架橋壁ｂ３の下端ｂ３ａ及び板状体ｂ２の下端ｂ２ｃが、外側垂直部１ａ３の下端１ａ３’を越えて、下方に延在しないように構成されている。
【００５０】
上述した実施例には、土手部補強部材Ｂ１、Ｂ２を、底部１に形成された長辺側土手部１ａに配設した例が示されているが、土手部補強部材Ｂ１、Ｂ２を、底部１に形成された端辺側土手部１ｂに配設することもできるが、短辺側土手部１ｂに比べて高さが高く、より補強の必要度の高い長辺側土手部１ａのみに、土手部補強部材Ｂ１、Ｂ２を配設することが、折り畳みコンテナーの重量増加を抑える点から好ましい。
【図面の簡単な説明】
【００５１】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、本発明の折り畳みコンテナーの長側壁と底部とのヒンジ連結を説明するための部分分解斜視図である。
【図５】図５は、本発明の折り畳みコンテナーの長側壁と底部とのヒンジ連結を説明するためのヒンジ連結部分の垂直断面図である。
【図６】図６は、同じく、本発明の折り畳みコンテナーの長側壁と底部とのヒンジ連結を説明するためのヒンジ連結部分の垂直断面図である。
【図７】図７は、同じく、本発明の折り畳みコンテナーの長側壁と底部とのヒンジ連結を説明するためのヒンジ連結部分の垂直断面図である。
【図８】図８は、本発明の折り畳みコンテナーの底部に配設された土手部補強部材を含む底部の部分垂直断面図である。
【図９】図９は、図８に示されている底部の部分裏面斜視図である。
【図１０】図１０は、本発明の折り畳みコンテナーの底部に配設された別の実施例の土手部補強部材を含む底部の部分垂直断面図である。
【図１１】図１１は、図１０に示されている底部の部分裏面斜視図である。
【図１２】図１２は、本発明の折り畳みコンテナーの底部に配設された更に別の実施例の土手部補強部材を含む底部の部分垂直断面図である。
【図１３】図１３は、図１２に示されている底部の部分裏面斜視図である。
【図１４】図１４は、本発明の折り畳みコンテナーの底部に配設されたなお更に別の実施例の土手部補強部材を含む底部の部分裏面斜視図である。
【図１５】図１５は、従来の折り畳みコンテナーの底部の部分垂直断面図である。
【符号の説明】
【００５２】
Ｂ１、Ｂ２・・・・・・・・・・土手部補強部材
Ｎ１、Ｎ２・・・・・・・・・・隅部
Ｈ１・・・・・・・・・・・・・雌ヒンジ部材
１・・・・・・・・・・・・・・底部
１ａ・・・・・・・・・・・・・長辺側土手部
１ａ１・・・・・・・・・・・・内側垂直部
１ａ２・・・・・・・・・・・・水平部
１ａ３・・・・・・・・・・・・外側垂直部
１ｃ・・・・・・・・・・・・・底板
１ｂ・・・・・・・・・・・・・短辺側土手部
２・・・・・・・・・・・・・・長側壁
３・・・・・・・・・・・・・・短側壁
【図１】
2005271967.tif 000003
【図２】
2005271967.tif 000004
【図３】
2005271967.tif 000005
【図４】
2005271967.tif 000006
【図５】
2005271967.tif 000007
【図６】
2005271967.tif 000008
【図７】
2005271967.tif 000009
【図８】
2005271967.tif 000010
【図９】
2005271967.tif 000011
【図１０】
2005271967.tif 000012
【図１１】
2005271967.tif 000013
【図１２】
2005271967.tif 000014
【図１３】
2005271967.tif 000015
【図１４】
2005271967.tif 000016
【図１５】
2005271967.tif 000017